(57)【特許請求の範囲】
【請求項１】
複数の撮影部位それぞれに関して準備された複数の撮影シーケンスそれぞれに対応付けた予測線量と、撮影において被検体に許容された許容線量とを記憶する記憶部と、
撮影対象として選択された撮影部位に対応する撮影シーケンスが選択された場合において、選択された撮影シーケンスの予測線量と前記許容線量に基づいて、前記選択された撮影シーケンスの予想線量と複数の未選択の撮影シーケンスそれぞれの予測線量の合計値が前記許容線量を超えるか否かを判定する判定部と、
前記判定部によって前記合計値が前記許容線量を超えると判定された未選択の撮影シーケンスと、前記判定部によって前記合計値が前記許容線量を超えないと判定された未選択の撮影シーケンスとを区別して表示部に表示させる表示制御部と、
を備えたことを特徴とするＸ線ＣＴ装置。
【請求項２】
複数の撮影部位それぞれに関して準備された複数の撮影シーケンスそれぞれに対応付けた予測線量と、撮影部位ごとの許容線量を示す部位別許容線量と、全身の許容線量を示す全身許容線量とを記憶する記憶部と、
撮影対象として選択された撮影部位に対応する撮影シーケンスが選択された場合において、選択された撮影シーケンスの予測線量、前記部位別許容線量、及び前記全身許容線量に基づいて、前記選択された撮影シーケンスの予測線量と、複数の未選択の撮影シーケンスそれぞれの予測線量の合計値が前記部位別許容線量を超えるか否かと、前記合計値が前記全身許容線量を超えるか否かと、を判定する判定部と、
前記判定部によって前記合計値が前記部位別許容線量又は前記全身許容線量を超えると判定された未選択の撮影シーケンスと、前記判定部によって前記合計値が前記部位別許容線量及び前記全身許容線量を超えないと判定された未選択の撮影シーケンスとを区別して表示部に表示させる表示制御部と、
を備えたことを特徴とするＸ線ＣＴ装置。
【請求項３】
複数の撮影部位それぞれに関して準備された複数の撮影シーケンスそれぞれに対応付けた予測線量と、撮影において被検体に許容された許容線量とを記憶する記憶部と、
撮影対象として選択された撮影部位に対応する撮影シーケンスが選択されるごとに、選択された撮影シーケンスの予測線量の積算値を計算し、前記積算値が前記許容線量を超えたか否かを判定する判定部と、
前記判定部によって前記積算値が前記許容線量を超えたと判定された場合に、前記積算値が前記許容線量を超えた旨を表示部に表示させることで、選択すると前記積算値が前記許容線量を超える撮影シーケンスと、選択すると前記積算値が前記許容線量を超えない撮影シーケンスとを区別する表示制御部と、
を備えたことを特徴とするＸ線ＣＴ装置。
【請求項４】
前記表示制御部は、撮影シーケンスの選択を受付ける画面を前記表示部に表示させ、前記画面において、前記判定部によって前記合計値が前記許容線量を超えると判定された未選択の撮影シーケンスと、前記判定部によって前記合計値が前記許容線量を超えないと判定された未選択の撮影シーケンスとを区別することを特徴とする請求項１に記載のＸ線ＣＴ装置。
【請求項５】
前記許容線量は、被検体の属性情報に対応付けて記憶され、
前記判定部は、前記合計値と、前記被検体の属性情報に応じた前記許容線量とを比較し、前記合計値が前記許容線量を超えるか否かを判定する
ことを特徴とする請求項１又は４に記載のＸ線ＣＴ装置。
【請求項６】
前記被検体の属性情報には、被検体の年齢、性別及び体型のうち少なくともいずれか一つが含まれることを特徴とする請求項５に記載のＸ線ＣＴ装置。
【請求項７】
前記記憶部は、撮影シーケンスに対応付けて管電流の変化を示す管電流情報を更に記憶し、
前記判定部は、被検体のスキャノグラムに基づいて、前記管電流情報を補正して各予測線量を算出する
ことを特徴とする請求項１に記載のＸ線ＣＴ装置。
【発明の詳細な説明】
【技術分野】
【０００１】
本発明の実施形態は、Ｘ線ＣＴ（Computed  Tomography）装置に関する。
【背景技術】
【０００２】
従来、Ｘ線ＣＴ装置は、１人の患者に対する１回の検査にてＸ線の被ばく量を部位ごとに積算する。そして、Ｘ線ＣＴ装置は、許容線量以上での撮影を受付けた場合には、警告画面を表示して撮影を継続するか否かを操作者に判断させる。また、Ｘ線ＣＴ装置は、警告画面を表示した後、操作者が有する権限の種別に応じて撮影の継続を許可しない場合がある。
【先行技術文献】
【特許文献】
【０００３】
【特許文献１】特表２００３−５１０７７２号公報
【発明の概要】
【発明が解決しようとする課題】
【０００４】
本発明が解決しようとする課題は、スキャン計画を適切に支援することができるＸ線ＣＴ装置を提供することである。
【課題を解決するための手段】
【０００５】
実施形態のＸ線ＣＴ装置は、記憶部と、判定部と、表示制御部とを備える。記憶部は、複数の撮影部位それぞれに関して準備された複数の撮影シーケンスそれぞれに対応付けた予測線量と、撮影において被検体に許容された許容線量とを記憶する。判定部は、撮影対象として選択された撮影部位に対応する撮影シーケンスが選択された場合において、選択された撮影シーケンスの予測線量と許容線量に基づいて、選択された撮影シーケンスの予想線量と複数の未選択の撮影シーケンスそれぞれの予測線量の合計値が許容線量を超えるか否かを判定する。表示制御部は、判定部によって合計値が許容線量を超えると判定された未選択の撮影シーケンスと、判定部によって合計値が許容線量を超えないと判定された未選択の撮影シーケンスとを区別して表示部に表示させる。
【図面の簡単な説明】
【０００６】
【図１】図１は、第１の実施形態に係るＸ線ＣＴ装置の構成例を示すブロック図である。
【図２】図２は、第１の実施形態に係るＸ線ＣＴ装置の処理手順を示すフローチャートである。
【図３】図３は、撮影部位受付画面の一例を示す図である。
【図４】図４は、第１の実施形態に係るスキャン条件判別処理の処理手順を示すフローチャートである。
【図５】図５は、許容線量テーブルが記憶するデータ構造の一例を示す図である。
【図６】図６は、予測線量テーブルが記憶するデータ構造の一例を示す図である。
【図７Ａ】図７Ａは、撮影部位受付画面の一例を示す図である。
【図７Ｂ】図７Ｂは、スキャン計画受付画面の一例を示す図である。
【図８】図８は、警告画面の一例を示す図である。
【図９】図９は、継続検査の確認画面の一例を示す図である。
【図１０】図１０は、体型別に細分化された許容線量テーブルが記憶するデータ構造の変形例を示す図である。
【図１１】図１１は、第１の実施形態に係るスキャン条件判別処理の処理手順の変形例を示すフローチャートである。
【図１２】図１２は、第２の実施形態に係るＸ線ＣＴ装置の処理手順を示すフローチャートである。
【図１３】図１３は、第２の実施形態に係るスキャン条件判別処理の処理手順を示すフローチャートである。
【図１４】図１４は、第２の実施形態に係る全身用の許容線量テーブルが記憶するデータ構造の一例を示す図である。
【図１５】図１５は、撮影部位受付画面の一例を示す図である。
【図１６】図１６は、第３の実施形態に係るＸ線ＣＴ装置の処理手順を示すフローチャートである。
【図１７】図１７は、第３の実施形態に係るスキャン条件判別処理の処理手順を示すフローチャートである。
【図１８】図１８は、管電流に関する情報の一例を示す図である。
【図１９】図１９は、その他の実施形態を説明するための図である。
【図２０】図２０は、その他の実施形態を説明するための図である。
【図２１】図２１は、その他の実施形態を説明するための図である。
【図２２】図２２は、その他の実施形態を説明するための図である。
【発明を実施するための形態】
【０００７】
以下、図面を参照して、実施形態に係るＸ線ＣＴ（Computed  Tomography）装置の実施形態を詳細に説明する。
【０００８】
（第１の実施形態）
まず、第１の実施形態に係るＸ線ＣＴ装置の構成について説明する。図１は、第１の実施形態に係るＸ線ＣＴ装置の構成例を示す図である。図１に示すように、第１の実施形態に係るＸ線ＣＴ装置は、架台装置１０と、寝台装置２０と、コンソール装置３０とを有する。
【０００９】
架台装置１０は、被検体ＰにＸ線を照射し、被検体Ｐを透過したＸ線の検出データから投影データを収集する装置であり、Ｘ線照射制御部１１と、Ｘ線発生装置１２と、Ｘ線検出器１３と、収集部１４と、回転フレーム１５と、架台駆動部１６とを有する。
【００１０】
回転フレーム１５は、後述するＸ線管球１２ａを有するＸ線発生装置１２とＸ線検出器１３とを被検体Ｐの周囲で回転可能に支持する。回転フレーム１５は、Ｘ線発生装置１２とＸ線検出器１３とを被検体Ｐを挟んで対向支持し、後述する架台駆動部１６によって被検体Ｐを中心とした円軌道にて高速に回転する円環状のフレームである。
【００１１】
Ｘ線発生装置１２は、Ｘ線を発生し、発生したＸ線を被検体Ｐへ照射する装置であり、Ｘ線管球１２ａと、ウェッジ１２ｂと、コリメータ１２ｃとを有する。
【００１２】
Ｘ線管球１２ａは、Ｘ線を曝射する。具体的には、Ｘ線管球１２ａは、後述するＸ線照射制御部１１により供給される高電圧により被検体ＰにＸ線ビームを発生する真空管である。Ｘ線管球１２ａは、回転フレーム１５の回転にともない、Ｘ線ビームを被検体Ｐに対して曝射する。Ｘ線管球１２ａは、ファン角及びコーン角を持って広がるＸ線ビームを発生する。
【００１３】
ウェッジ１２ｂは、Ｘ線管球１２ａから曝射されたＸ線のＸ線量を調節するためのＸ線フィルタである。コリメータ１２ｃは、後述するＸ線照射制御部１１の制御により、ウェッジ１２ｂによってＸ線量が調節されたＸ線の照射範囲を絞り込むためのスリットである。
【００１４】
Ｘ線照射制御部１１は、高電圧発生部として、Ｘ線管球１２ａに高電圧を供給する装置であり、Ｘ線管球１２ａは、Ｘ線照射制御部１１から供給される高電圧を用いてＸ線を発生する。Ｘ線照射制御部１１は、Ｘ線管球１２ａに供給する管電圧や管電流を調整することで、被検体Ｐに対して照射されるＸ線量を調整する。また、Ｘ線照射制御部１１は、コリメータ１２ｃの開口度を調整することにより、Ｘ線の照射範囲（ファン角やコーン角）を調整する。
【００１５】
Ｘ線照射制御部１１の制御により、Ｘ線管球１２ａは、フル再構成用に被検体Ｐの全周囲でＸ線を連続曝射したり、ハーフ再構成用にハーフ再構成可能な曝射範囲（１８０度＋ファン角）でＸ線を連続曝射したりすることが可能である。また、Ｘ線照射制御部１１の制御により、Ｘ線管球１２ａは、予め設定された位置（管球位置）でＸ線（パルスＸ線）を間欠曝射したりすることが可能である。また、Ｘ線照射制御部１１は、Ｘ線管球１２ａから曝射されるＸ線の強度を変調させることも可能である。例えば、Ｘ線照射制御部１１は、特定の管球位置では、Ｘ線管球１２ａから曝射されるＸ線の強度を強くし、特定の管球位置以外の範囲では、Ｘ線管球１２ａから曝射されるＸ線の強度を弱くする。ここで、管球位置とは、被検体Ｐを中心した円軌道におけるＸ線管球１２ａの位置を示す。以下では、図１に示すＸ線管球１２ａの位置（管球位置、管球角度）を「０度（３６０度）」と定義する。また、以下では、管球位置（管球角度）を、図１に示す回転フレーム１５の周方向に沿って時計周りに「０度、・・・、９０度、・・・、１８０度、・・・、２７０度、・・・、３６０度」と定義する。
【００１６】
架台駆動部１６は、回転フレーム１５を回転駆動させることによって、被検体Ｐを中心とした円軌道上でＸ線発生装置１２とＸ線検出器１３とを旋回させる。
【００１７】
Ｘ線検出器１３は、Ｘ線管球１２ａから曝射され被検体Ｐを透過したＸ線を検出する。具体的には、Ｘ線検出器１３は、２次元状に配列されたＸ線検出素子により、Ｘ線管球１２ａから曝射されて被検体Ｐを透過したＸ線を検出する。図１に示すＸ線検出器１３は、被検体Ｐを透過したＸ線の強度分布を示すＸ線強度分布データを出力する２次元アレイ型検出器（面検出器）である。Ｘ線検出器１３には、チャンネル方向（図１に示すＸ軸方向）に配列された複数のＸ線検出素子（検出素子列）が、被検体Ｐの体軸方向（図１に示すＺ軸方向）に沿って複数列配列される。例えば、Ｘ線検出器１３は、被検体Ｐの体軸方向に沿って３２０列に配列された検出素子列を有し、被検体Ｐを透過したＸ線強度分布データを広範囲に検出する。
【００１８】
収集部１４は、ＤＡＳ（data  acquisition  system）であり、Ｘ線検出器１３が検出したＸ線の検出データから、投影データを収集する。例えば、収集部１４は、Ｘ線検出器１３により検出されたＸ線強度分布データに対して、増幅処理やＡ／Ｄ変換処理、チャンネル間の感度補正処理等を行なって投影データを生成し、生成した投影データを後述するコンソール装置３０に送信する。例えば、回転フレームの回転中に、Ｘ線管球１２ａからＸ線が連続曝射されている場合、収集部１４は、全周囲分（３６０度分）の投影データ群を収集する。また、収集部１４は、収集した各投影データに管球位置を対応付けて、後述するコンソール装置３０に送信する。管球位置は、投影データの投影方向を示す情報となる。なお、チャンネル間の感度補正処理は、後述する前処理部３４が行なってもよい。
【００１９】
寝台装置２０は、被検体Ｐを載せる装置であり、天板２２と、寝台駆動装置２１とを有する。天板２２は、被検体Ｐが載置される板である。寝台駆動装置２１は、後述するスキャン制御部３３の制御のもと、天板２２をＺ軸方向へ移動することにより、被検体Ｐを回転フレーム１５内（撮影空間内）に移動させる。
【００２０】
架台装置１０は、例えば、天板２２を移動させながら回転フレーム１５を回転させて被検体Ｐをらせん状にスキャンするヘリカルスキャンを実行する。又は、架台装置１０は、天板２２を移動させた後に被検体Ｐの位置を固定したままで回転フレーム１５を回転させて被検体Ｐを円軌道にてスキャンするコンベンショナルスキャンを実行する。又は、架台装置１０は、天板２２の位置を一定間隔で移動させてコンベンショナルスキャンを複数のスキャンエリアで行なうステップアンドシュート方式を実行する。
【００２１】
コンソール装置３０は、操作者によるＸ線ＣＴ装置の操作を受け付けるとともに、架台装置１０によって収集された投影データからＸ線ＣＴ画像データを再構成する装置であり、入力装置３１と、表示装置３２と、スキャン制御部３３と、前処理部３４と、投影データ記憶部３５と、画像生成部３６と、画像記憶部３７と、線量情報記憶部３８と、制御部３９とを有する。
【００２２】
入力装置３１は、Ｘ線ＣＴ装置の操作者が各種指示や各種設定の入力に用いるマウスやキーボードなどを有し、操作者から受け付けた指示や設定の情報を、制御部３９に転送する。
【００２３】
表示装置３２は、操作者が参照するモニタであり、制御部３９による制御のもと、Ｘ線ＣＴ画像データを操作者に表示したり、入力装置３１を介して操作者から各種指示や各種設定等を受け付けるためのＧＵＩ（Graphical  User  Interface）を表示したりする。例えば、操作者は、撮影部位受付用のＧＵＩ（撮影部位受付画面）に、天板２２に載置された被検体Ｐの撮影時における撮影部位、撮影シーケンス及びスキャン条件の変更を、入力装置３１を用いて設定する。
【００２４】
スキャン制御部３３は、後述する制御部３９の制御のもと、Ｘ線照射制御部１１、架台駆動部１６、収集部１４及び寝台駆動装置２１の動作を制御することで、架台装置１０における投影データの収集処理を制御する。
【００２５】
前処理部３４は、収集部１４によって生成された投影データに対して、対数変換処理と、オフセット補正、感度補正及びビームハードニング補正等の補正処理とを行なって、補正済みの投影データを生成する。以下では、前処理部３４が生成する補正済みの投影データを再構成用投影データと記載する。
【００２６】
投影データ記憶部３５は、前処理部３４により生成された再構成用投影データを記憶する。また、投影データ記憶部３５は、収集部１４により収集された投影データも記憶する。ここで、投影データ記憶部３５は、前処理部３４により生成された再構成用投影データや、収集部１４により生成された投影データに対応付けて、管球位置を記憶する。
【００２７】
画像生成部３６は、投影データ記憶部３５が記憶する投影データを用いて各種画像データを生成する。画像記憶部３７は、画像生成部３６が生成した各種画像データを記憶する。例えば、画像生成部３６は、投影データ記憶部３５が記憶する再構成用投影データを用いてＸ線ＣＴ画像データを再構成する。再構成方法としては、種々の方法があり、例えば、逆投影処理が挙げられる。また、逆投影処理としては、例えば、ＦＢＰ（Filtered  Back  Projection）法による逆投影処理が挙げられる。或いは、画像生成部３６は、逐次近似法を用いて、Ｘ線ＣＴ画像データを再構成しても良い。
【００２８】
線量情報記憶部３８は、許容線量テーブル１０１と、予測線量テーブル１０２とを有する。許容線量テーブル１０１は、撮影において被検体に許容された許容線量を記憶する。この許容線量は、被検体の属性情報に対応付けて記憶される。予測線量テーブル１０２は、所定の撮影部位に関して準備された複数の撮影シーケンスそれぞれに対応付けた予測線量を記憶する。
【００２９】
制御部３９は、架台装置１０、寝台装置２０及びコンソール装置３０の動作を制御することによって、Ｘ線ＣＴ装置の全体制御を行う。具体的には、制御部３９は、スキャン制御部３３を制御することで、架台装置１０で行なわれるスキャンを制御する。また、制御部３９は、前処理部３４や、画像生成部３６を制御することで、コンソール装置３０における画像再構成処理や画像生成処理を制御する。ここで、画像再構成処理とは、例えば、複数のアキシャル面の断層像データとして３次元Ｘ線ＣＴ画像データを再構成する処理を示す。この断層像データは、表示用の２次元Ｘ線ＣＴ画像データとして用いることができる。また、画像生成処理とは、３次元Ｘ線ＣＴ画像データから、各種レンダリング処理を行なって、表示用の２次元画像データを生成する処理を示す。レンダリング処理としては、断面再構成法（ＭＰＲ：Multi  Planer  Reconstruction）により、３次元Ｘ線ＣＴ画像データから任意の断面のＭＰＲ画像データを再構成する処理がある。また、レンダリング処理としては、ボリュームレンダリング（Volume  Rendering）処理や、最大値投影法（ＭＩＰ：Maximum  Intensity  Projection）により、３次元Ｘ線ＣＴ画像データから３次元の情報を反映したＶＲ画像データやＭＩＰ画像データを生成する処理がある。また、制御部３９は、画像記憶部３７が記憶する各種画像データを、表示装置３２に表示するように制御する。
【００３０】
また、制御部３９は、判定部１１１と、表示制御部１１２とを有する。判定部１１１は、撮影対象として選択された撮影部位に対応する撮影シーケンスそれぞれの予測線量と、許容線量との比較に基づいて、撮影シーケンスの予測線量が許容線量を超えるか否かを判定する。例えば、判定部１１１は、選択された撮影部位に応じた撮影シーケンスの予測線量と、被検体の属性情報に応じた許容線量とを比較し、撮影シーケンスの予測線量が許容線量を超えるか否かを判定する。そして、判定部１１１は、許容線量を超えた撮影シーケンスを特定する。
【００３１】
表示制御部１１２は、判定部１１１によって許容線量を超えると判定された撮影シーケンスと許容線量を超えないと判定された撮影シーケンスとを区別して表示装置３２に表示させる。例えば、表示制御部１１２は、撮影シーケンスの選択を受付ける画面を表示する際に、判定部１１１によって許容線量を超えると判定された撮影シーケンスと許容線量を超えないと判定された撮影シーケンスとを区別して表示装置３２に表示させる。より具体的には、表示制御部１１２は、許容線量を超えた撮影シーケンスを網掛け表示する。
【００３２】
次に、図２を用いて、第１の実施形態に係るＸ線ＣＴ装置の処理手順を説明する。図２は、第１の実施形態に係るＸ線ＣＴ装置の処理手順を示すフローチャートである。なお、以下では、Ｘ線ＣＴ装置が以下の処理を開始する前に、操作者は、スキャン条件の編集権限や許容線量以上での継続検査の実行権限を有するか否かをＸ線ＣＴ装置に登録するものとして説明する。
【００３３】
図２に示すように、制御部３９は、撮影対象である被検体の年齢、被検体の性別などの被検体の属性情報の登録を受付ける（ステップＳ１０１）。例えば、制御部３９は、ＲＩＳ（Radiology  Information  System）やＨＩＳ(Hospital  Information  System)から取得した被検体の属性情報を操作者による手入力によって受付ける。或いは、制御部３９は、手入力のみならずＲＩＳやＨＩＳから被検体の属性情報を自動入力されてもよい。
【００３４】
そして、制御部３９は、撮影部位の設定を操作者から受付ける（ステップＳ１０２）。例えば、制御部３９は、被検体の属性情報の登録を受付けた後、図３に示すＧＵＩを表示装置３２に表示している。図３は、撮影部位受付画面の一例を示す図である。図３に示す撮影部位受付画面は、撮影部位設定領域３ａと、プリセット情報表示領域３ｂとに分割される。ステップＳ１０２において制御部３９は、撮影部位設定領域３ａに、被検体を模式的に示した人体モデルを表示し、人体モデル上において例えば頭部、胸部、腹部などからいずれかの撮影部位の設定を操作者から受付ける。なお、図３に示す例では、撮影部位設定領域３ａにおいて、いずれの撮影部位の設定も受付けていないことを示す。
【００３５】
また、制御部３９は、プリセット情報表示領域３ｂにはプリセット情報を表示する。このプリセット情報については、図６を用いて後述する。なお、制御部３９は、ステップＳ１０２において、プリセット情報表示領域３ｂに表示したプリセット情報を選択する操作を受付けも応答せず、選択されたプリセット情報を設定しない。また、図３に示す例では、胸部用のプリセット情報を表示する場合について説明するが、ステップＳ１０２で表示されるプリセット情報は、胸部用に限定されるものではない。
【００３６】
続いて、制御部３９は、人体モデル上で撮影部位が設定された場合、スキャン条件判別処理を実行する（ステップＳ１０３）。
【００３７】
ここでは、制御部３９の判定部１１１によって実行されるスキャン条件判別処理について説明する。図４は、第１の実施形態に係るスキャン条件判別処理の処理手順を示すフローチャートである。なお、図４に示す例では、撮影部位として胸部が設定された場合を示す。図４に示すように、判定部１１１は、ステップＳ１０１で受付けた被検体の属性情報から被検体の年齢及び性別を取得する（ステップＳ２０１）。そして、判定部１１１は、取得した被検体の年齢及び性別に対応する許容線量を許容線量テーブル１０１から取得する（ステップＳ２０２）。
【００３８】
図５は、許容線量テーブル１０１が記憶するデータ構造の一例を示す図である。なお、図５では、胸部についての許容線量テーブルを例示する。図５に示すように、許容線量テーブル１０１は、性別「男性（胸部）」及び「女性（胸部）」それぞれに対して、年齢「〜１２歳未満」、「１２歳以上〜２０歳未満」、「２０歳以上〜６５歳未満」及び「６５歳以上」に対応した許容線量を記憶する。一例をあげると、許容線量テーブル１０１は、１度の検査において「１２歳以上〜２０歳未満」の「女性」の胸部に対する許容線量が、「α６ｍＧｙ」であることを示し、１度の検査において「２０歳以上〜６５歳未満」の「男性」の胸部に対する許容線量が、「α３ｍＧｙ」であることを示す。判定部１１１は、例えば、被検体が３０歳の男性であり胸部をスキャンする場合、この被検体の胸部に対する許容線量として「α３ｍＧｙ」を取得する。なお、ここで言う「１度の検査」とは、被検体が検査室に入室してから退室するまでの間にＸ線ＣＴ装置によって行われる撮影を示す。この１度の検査では、複数の部位での撮影や同じ部位について異なる撮影シーケンスでの撮影が行われる場合がある。
【００３９】
図４に戻り、判定部１１１は、設定された撮影部位のプリセット情報を予測線量テーブル１０２から取得する（ステップＳ２０３）。図６は、予測線量テーブル１０２が記憶するデータ構造の一例を示す図である。図６に示すように、予測線量テーブル１０２は、「部位」と、「撮影シーケンスの種別」と、「予測線量」とを対応付けたプリセット情報を記憶する。ここで、予測線量テーブル１０２が記憶する「部位」は、撮影部位を示す。例えば、「撮影部位」には、「胸部」や「腹部」が格納される。また、予測線量テーブル１０２が記憶する「撮影シーケンスの種別」には、「胸部単純」、「胸部精細」などが格納される。なお、撮影シーケンスの各種別には、管電流、管電圧、回転フレーム１５の回転スピード及びスキャン種別（コンベンショナルスキャンやヘリカルスキャン）などを含んだスキャン条件の初期値が対応付けられる。さらに、撮影シーケンスの種別には、線量に応じた再構成パラメータの初期設定が対応付けられる。また、予測線量テーブル１０２が記憶する「予測線量」は、撮影シーケンスにより撮影によって被検体に照射される線量の予測値を示す。
【００４０】
判定部１１１は、例えば、撮影部位が胸部である場合、胸部用の撮影シーケンスの種別として「胸部単純」、「胸部精細」、「胸部精細２」、「胸部造影」及び「胸部３相」を取得する。ここで、「胸部単純」は、造影剤を使わずにスキャンする撮影シーケンスである。また、「胸部精細」は、「胸部単純」でのスキャンよりも高線量でスキャンすることで精細な画像を取得する場合に利用される撮影シーケンスである。また、「胸部精細２」は、「胸部精細」でのスキャンよりも高線量でスキャンすることでより精細な画像を取得する場合に利用される撮影シーケンスである。また、「胸部造影」は、造影剤を静脈に注入し、例えば、動脈内の造影剤濃度が最も高くなるようなタイミング（「動脈相」と言う）でスキャンする撮影シーケンスである。また、「胸部３相」は、造影剤を静脈に注入し、各時間ごと（例えば「動脈相」、「動脈後期相」及び「平衡相」）のタイミングで同じ部位をスキャンする撮影シーケンスであり、一般的に「胸部造影」よりも高線量なスキャンである。
【００４１】
図４に戻る。続いて、判定部１１１は、許容線量を超える撮影シーケンスの種別を特定する（ステップＳ２０４）。例えば、判定部１１１は、取得したプリセット情報に対応付けて記憶される予測線量と、ステップＳ２０２で取得した許容線量とを比較し、予測線量が許容線量を超えた撮影シーケンスの種別を特定する。具体的には、判定部１１１は、ステップＳ２０２で取得した許容線量が「α３ｍＧｙ」であり、撮影部位が胸部である場合、予測線量が「β４ｍＧｙ」である「胸部造影」及び予測線量が「β５ｍＧｙ」である「胸部３相」を、許容線量を超える撮影シーケンスの種別に特定する。なお、ここでは、α３≧β１、α３≧β２、α３≧β３、α３＜β４、α３＜β５であると仮定する。判定部１１１は、ステップＳ２０４の終了後、スキャン条件判別処理を終了し、ステップＳ１０４に移行する。
【００４２】
図２に戻り、表示制御部１１２は、スキャン条件判別処理の結果、許容線量を超える撮影シーケンスの種別に網掛け表示する（ステップＳ１０４）。図７Ａは、撮影部位受付画面の一例を示す図である。図７Ａでは、判定部１１１が撮影シーケンスの種別「胸部造影」及び「胸部３相」が許容線量を超えると判定した場合を例示する。図７Ａに示すように、表示制御部１１２は、例えば、許容線量を超えると判定された撮影シーケンスの種別「胸部造影」及び「胸部３相」を撮影部位受付画面上のプリセット情報表示領域７ｂに網掛けして表示する。なお、制御部３９は、胸部を示す領域が撮影部位として設定されたことを示すように、撮影部位設定領域７ａにおいて、例えば他の部位の選択領域とは色を変えて胸部用の選択領域を人体モデルに表示する。
【００４３】
そして、制御部３９は、撮影部位の変更か否かを判定する（ステップＳ１０５）。ここで、制御部３９は、撮影部の変更であると判定した場合（ステップＳ１０５、Ｙｅｓ）、ステップＳ１０２に移行する。かかる場合、制御部３９は、図７Ａに示す撮影部位設定領域７ａにおいて、撮影部位の設定を受付ける。一方、制御部３９は、撮影部の変更であると判定しなかった場合（ステップＳ１０５、Ｎｏ）、ステップＳ１０６に移行する。
【００４４】
続いて、制御部３９は、撮影シーケンスの種別の選択を受付ける（ステップＳ１０６）。ここで、制御部３９は、網掛け表示された撮影シーケンスの種別については選択を受付けない。そして、制御部３９は、選択された撮影シーケンスの種別でのスキャンを実行する場合のスキャン計画作成用にスキャノグラム撮影を実行する（ステップＳ１０７）。
【００４５】
また、制御部３９は、スキャノグラム撮影が実行されると、表示装置３２に表示しているＧＵＩを、図７Ａに示すＧＵＩから図７Ｂに示すＧＵＩに切り替える。そして、制御部３９は、スキャン計画の設定を受付ける（ステップＳ１０８）。図７Ｂは、スキャン計画受付画面の一例を示す図である。図７Ｂに示すスキャン計画受付画面は、スキャン計画表示領域７ｃと、スキャノグラム表示領域７ｄと、スキャン条件表示領域７ｅとに分割される。例えば、制御部３９は、スキャン計画表示領域７ｃに表示された情報やスキャノグラム表示領域７ｄに表示されたスキャノグラムなどにおいて位置決めや、ＦＯＶ（Field  Of  View）の設定を受付け、スキャン条件表示領域７ｅに表示されたスキャン条件の変更を受付ける。より具体的には、制御部３９は、スキャノグラムにおいてＦＯＶを拡大又は縮小させる操作や、選択された撮影シーケンスの種別に事前に設定されている管電圧の値及び管電流などの値を変更する操作を受付ける。このように制御部３９は、ステップＳ１０８において、管電圧や管電流などのスキャン条件の変更やＦＯＶの変更を受付ける場合があるので、スキャン計画の設定を受付けた後、予測線量を再計算する。
【００４６】
そして、制御部３９は、予測線量が許容線量以内であるか否かを判定する（ステップＳ１０９）。例えば、制御部３９は、設定されたスキャン計画における予測線量を算出する。そして、制御部３９は、算出した線量と、ステップＳ２０２で取得した許容線量とを比較し、算出した線量が許容線量以内であるか否かを判定する。
【００４７】
制御部３９は、予測線量が許容線量以内であると判定した場合（ステップＳ１０９、Ｙｅｓ）、ステップＳ１１４に移行する。一方、制御部３９は、予測線量が許容線量以内でないと判定した場合（ステップＳ１０９、Ｎｏ）、図８に例示する警告画面を表示する（ステップＳ１１０）。図８は、警告画面の一例を示す図である。図８では、警告文と、スキャン条件における予測線量とを含んだ警告画面を示す。例えば、図８に示すように、制御部３９は、線量が許容線量を超えていることを示す警告文「予測線量が警告基準値を超えています。」と、「胸部トータルＤＬＰ（Dose  Length  Product）」に対する予測線量が「１７９２．６ｍＧｙ」であり、警告基準値「１０００．０ｍＧｙ」を超えていることを示す情報とを表示装置３２に表示する。なお、「警告基準値」のことを「許容線量」とも言う。
【００４８】
そして、制御部３９は、スキャン条件の編集権限や許容線量以上での継続検査の実行権限を有する操作者であるか否かを判定する（ステップＳ１１１）。ここで、制御部３９は、スキャン条件の編集権限や許容線量以上での継続検査の実行権限を有さない操作者であると判定した場合（ステップＳ１１１、Ｎｏ）、撮影に進まず処理を終了する。一方、制御部３９は、スキャン条件の編集権限や許容線量以上での継続検査の実行権限を有する操作者であると判定した場合（ステップＳ１１１、Ｙｅｓ）、スキャン条件の変更を受付けたか否かを判定する（ステップＳ１１２）。
【００４９】
ここで、制御部３９は、例えば、警告画面において表示した「編集」を選択する操作を受付けた場合、スキャン条件の変更を受付けたと判定する。一方、制御部３９は、警告画面において表示した「ＯＫ」を選択する操作を受付けた場合、スキャン条件の変更を受付けなかったと判定する。制御部３９は、スキャン条件の変更を受付けたと判定した場合（ステップＳ１１２、Ｙｅｓ）、ステップＳ１０８に移行して、スキャン計画の変更を受付ける。
【００５０】
一方、制御部３９は、スキャン条件の変更を受付けなかったと判定した場合（ステップＳ１１２、Ｎｏ）、図９に例示する継続検査の確認画面を表示する（ステップＳ１１３）。図９は、継続検査の確認画面の一例を示す図である。図９では、予測線量が許容線量を超えた場合に、撮影に進む理由の入力を受付ける画面の一例を示す。図９に示すように、制御部３９は、操作者から撮影に進む理由として、例えば、「患者が大きいため」の選択を受付ける。そして、制御部３９は、撮影を実行する（ステップＳ１１４）。
【００５１】
上述したように、第１の実施形態によれば、設定された撮影部位におけるプリセット情報の予測線量が被検体の許容線量を超えるか否かを判定して、許容線量を超える撮影シーケンスの種別を特定する。そして、特定した撮影シーケンスの種別を網掛け表示し、操作者による選択を受付けないようにする。このように、許容線量を超えた撮影シーケンスが選択されることによる検査の中断を回避することで、スキャン計画を適切に支援することができる。また、第１の実施形態によれば、被検体に対して許容線量以上の被曝を回避できるので、被検体への被曝を低減することが可能となる。
【００５２】
また、第１の実施形態によれば、撮影シーケンスの種別に対応付けられたスキャン条件を使用し、線量に応じた再構成パラメータを用いてＸ線ＣＴ画像データを再構成することで、被検体に対して所望する品質の画像を得る事ができる。
【００５３】
また、第１の実施形態においては、許容線量テーブル１０１のデータ構造が、部位別ごとに許容線量を記憶する例について説明したが、許容線量テーブル１０１が記憶するデータ構造は、これに限定されるものではない。例えば、許容線量テーブル１０１は、体厚や体格などの被検体の体型に応じて細分化された許容線量を記憶してもよい。図１０は、体型別に細分化された許容線量テーブル１０１が記憶するデータ構造の変形例を示す図である。
【００５４】
図１０に示すように、許容線量テーブル１０１は、「胸部Ｓサイズ」、「胸部Ｍサイズ」、「胸部Ｌサイズ」及び「腹部Ｓサイズ」などのように体型別に細分化される。図１０に示す例では、胸部Ｌサイズの許容線量テーブル１０１のデータ構造を示す。図１０に示すように、体型別に細分化された許容線量テーブル１０１は、性別「男性（胸部）」及び「女性（胸部）」それぞれに対して、年齢「〜１２歳未満」、「１２歳以上〜２０歳未満」、「２０歳以上〜６５歳未満」及び「６５歳以上」に対応した許容線量を記憶する。なお、体型別に細分化された個々の許容線量テーブル１０１が記憶するデータ構造は、図５に示す許容線量テーブル１０１が記憶するデータ構造と同様である。
【００５５】
また、このような体型別に細分化された許容線量テーブル１０１を用いる場合の、判定部１１１によるスキャン条件判別処理の処理手順を説明する。図１１は、第１の実施形態に係るスキャン条件判別処理の処理手順の変形例を示すフローチャートである。図１１に示すように、判定部１１１は、ステップＳ１０１で受付けた被検体の属性情報から被検体の年齢及び性別を取得する（ステップＳ３０１）。また、判定部１１１は、受付けた被検体の属性情報から被検体の体型に関する情報を取得する（ステップＳ３０２）。例えば、判定部１１１は、被検体の属性情報として取得した被検体の身長及び被検体の体重などに基づいて被検体の体型を例えば「Ｓ」、「Ｍ」及び「Ｌ」のいずれかに分類する。なお、判定部１１１は、ＲＩＳやＨＩＳに被検体の体型が記憶される場合には、ＲＩＳやＨＩＳに記憶される被検体の体型を取得するようにしてもよい。そして、判定部１１１は、取得した被検体の体型と、被検体の年齢及び性別とに対応する許容線量を許容線量テーブル１０１から取得する（ステップＳ３０３）。
【００５６】
判定部１１１は、設定された撮影部位のプリセット情報を予測線量テーブル１０２から取得する（ステップＳ３０４）。続いて、判定部１１１は、許容線量を超える撮影シーケンスの種別を特定する（ステップＳ３０５）。例えば、判定部１１１は、選択された撮影部位に応じた撮影シーケンスの予測線量と、被検体の年齢、性別及び体型に応じた許容線量とを比較し、許容線量を超えた撮影シーケンスの種別を特定する。より具体的には、判定部１１１は、ステップＳ３０４で取得したプリセット情報に対応付けて記憶される予測線量と、ステップＳ３０３で取得した許容線量とを比較し、予測線量が許容線量を超えた撮影シーケンスの種別を特定する。
【００５７】
なお、第１の実施形態では、許容線量テーブル１０１が、体厚や体格などの被検体の体型に応じて細分化された許容線量を記憶する場合について説明したが、予測線量テーブル１０２が、撮影シーケンスの種別ごとに被検体の体型に応じて細分化された予測線量を記憶するようにしてもよい。かかる場合、判定部１１１は、被検体の体型に応じた予測線量を予測線量テーブル１０２から取得し、被検体の属性情報に応じた許容線量を許容線量テーブル１０１から取得する。そして、判定部１１１は、予測線量と許容線量との比較に基づいて、撮影シーケンスの予測線量が許容線量を超えるか否かを判定する。
【００５８】
（第２の実施形態）
第１の実施形態では、一つの部位、例えば胸部においてスキャンを行う場合について説明した。ところで、臨床現場において、１度の検査で複数の部位を連続してスキャンする場合がある。このようなことから、第２の実施形態では、複数の撮影部位に応じて選択可能な撮影シーケンスの種別を表示する場合について説明する。
【００５９】
第２の実施形態に係るＸ線ＣＴ装置の構成は、線量情報記憶部３８において、全身用の許容線量テーブル１０１を更に有する点と、制御部３９において、判定部１１１の処理動作が異なる点とを除いて、第１の実施形態に係るＸ線ＣＴ装置の構成と同様である。
【００６０】
全身用の許容線量テーブル１０１は、検査毎において被検体の全身での許容線量を、性別と年齢とに対応付けて記憶する。すなわち、線量情報記憶部３８には、撮影部位ごとの許容線量を示す部位別許容線量と、検査毎において被検体全身での許容線量を示す全身許容線量とが記憶される。
【００６１】
判定部１１１は、複数の撮影部位ごとに撮影シーケンスが選択される場合に、選択された撮影シーケンスの予測線量の合計値と、部位別許容線量及び全身許容線量とに基づいて、未選択の撮影シーケンスの予測線量が許容線量を超えるか否かを判定する。例えば、判定部１１１は、撮影シーケンスが選択されるごとに、未選択の撮影シーケンスの予測線量に、選択された撮影シーケンスの予測線量を加算した加算後の予測線量と、撮影部位ごとの許容線量及び被検体全身での許容線量とを比較して、いずれかの許容線量を超えた撮影シーケンスの種別を特定する。
【００６２】
図１２を用いて、第２の実施形態に係るＸ線ＣＴ装置による処理手順を説明する。図１２は、第２の実施形態に係るＸ線ＣＴ装置の処理手順を示すフローチャートである。なお、図２に示した第１の実施形態に係るＸ線ＣＴ装置による処理手順と同様の処理については詳細な説明を省略する。
【００６３】
図１２に示すように、制御部３９は、撮影対象である被検体の年齢、被検体の性別などの被検体の属性情報の登録を受付ける（ステップＳ１１０１）。そして、制御部３９は、撮影部位の設定を操作者から受付ける（ステップＳ１１０２）。制御部３９は、人体モデル上で撮影部位が設定された場合、スキャン条件判別処理を実行する（ステップＳ１０３）。
【００６４】
ここでは、制御部３９の判定部１１１によって実行されるスキャン条件判別処理について説明する。図１３は、第２の実施形態に係るスキャン条件判別処理の処理手順を示すフローチャートである。図１３に示すように、判定部１１１は、受付けた被検体の属性情報から被検体の年齢及び性別を取得する（ステップＳ１２０１）。そして、判定部１１１は、取得した被検体の年齢及び性別に対応する撮影部位の許容線量と全身の許容線量とを許容線量テーブル１０１から取得する（ステップＳ１２０２）。
【００６５】
図１４は、第２の実施形態に係る全身用の許容線量テーブル１０１が記憶するデータ構造の一例を示す図である。図１４に示すように、全身用の許容線量テーブル１０１は、性別「男性（全身）」及び「女性（全身）」それぞれに対して、年齢「〜１２歳未満」、「１２歳以上〜２０歳未満」、「２０歳以上〜６５歳未満」及び「６５歳以上」に対応した許容線量を記憶する。
【００６６】
ここで、全身用の許容線量テーブル１０１が記憶する「男性（全身）」は、１度の検査において男性の全身トータルで許容される線量を示し、「女性（全身）」は、１度の検査において女性の全身トータルで許容される線量を示す。一例をあげると、全身用の許容線量テーブル１０１は、１度の検査において「１２歳以上〜２０歳未満」の「女性」の全身に対する許容線量が、「α１６ｍＧｙ」であることを示し、１度の検査において「２０歳以上〜６５歳未満」の「男性」の全身に対する許容線量が、「α１３ｍＧｙ」であることを示す。判定部１１１は、例えば、被検体が３０歳の男性である場合、この被検体の全身に対する許容線量として「α１３ｍＧｙ」を取得する。
【００６７】
図１３に戻り、判定部１１１は、設定された撮影部位のプリセット情報を予測線量テーブル１０２から取得する（ステップＳ１２０３）。続いて、判定部１１１は、撮影部位の許容線量又は全身の許容線量を超える撮影シーケンスの種別を特定する（ステップＳ１２０４）。判定部１１１は、ステップＳ１２０４の終了後、スキャン条件判別処理を終了し、ステップＳ１１０４に移行する。
【００６８】
図１２に戻り、表示制御部１１２は、スキャン条件判別処理の結果、許容線量を超える撮影シーケンスの種別に網掛け表示する（ステップＳ１１０４）。そして、制御部３９は、撮影部位の変更か否かを判定する（ステップＳ１１０５）。ここで、制御部３９は、撮影部の変更であると判定した場合（ステップＳ１１０５、Ｙｅｓ）、ステップＳ１１０２に移行する。一方、制御部３９は、撮影部の変更であると判定しなかった場合（ステップＳ１１０５、Ｎｏ）、ステップＳ１１０６に移行する。続いて、制御部３９は、撮影シーケンスの種別の選択を受付ける（ステップＳ１１０６）。ここで、制御部３９は、網掛け表示された撮影シーケンスの種別については選択を受付けない。
【００６９】
そして、制御部３９は、他の部位のスキャンを受付けたか否かを判定する（ステップＳ１１０７）。ここで、制御部３９は、他の部位のスキャンを受付けなかったと判定した場合（ステップＳ１１０７、Ｎｏ）、ステップＳ１１１２に移行する。なお、ステップＳ１１１２〜ステップＳ１１１９の処理手順は、図２に示すステップＳ１０７〜ステップＳ１１４の処理手順と同様である。
【００７０】
一方、判定部１１１は、他の部位のスキャンを受付けたと判定した場合（ステップＳ１１０７、Ｙｅｓ）、撮影部位の設定を受付け（ステップＳ１１０８）、設定された撮影部位のプリセット情報を取得する（ステップＳ１１０９）。そして、判定部１１１は、ステップＳ１１０６で選択された撮影シーケンスの種別の予測線量をステップＳ１１０９で取得したプリセット情報の予測線量に加算する（ステップＳ１１１０）。そして、判定部１１１は、加算後の予測線量が撮影部位の許容線量又は全身の許容線量を超える撮影シーケンスの種別を特定し（ステップＳ１１１１）、ステップＳ１１０４に移行する。
【００７１】
図１５は、撮影部位受付画面の一例を示す図である。図１５に示す撮影部位受付画面は、撮影部位設定領域１５ａと、プリセット情報表示領域１５ｂとに分割される。また、プリセット情報表示領域１５ｂは、更に、第１に選択された部位用のプリセット情報表示領域１５ｄと、第２に選択された部位用のプリセット情報表示領域１５ｅとに分割される。なお、図１５では、胸部のスキャンとして「胸部単純」が選択された後に、腹部のスキャンが選択された場合の撮影部位受付画面の一例を示す。なお、撮影部位として他の部位が選択されずに腹部のみが選択された場合には、撮影シーケンスの種別「腹部造影」及び「腹部３相」が網掛け表示されると仮定する。
【００７２】
図１５に示すように、胸部用のプリセット情報表示領域１５ｄにおいて、許容線量を超えた「胸部造影」及び「胸部３相」が網掛け表示されており、「胸部単純」が選択されている。続いて、撮影部位設定領域１５ａにおいて、腹部の選択を受付けた場合、腹部用のプリセット情報表示領域１５ｅがハイライトされる。ここで、判定部１１１は、腹部用のプリセット情報表示領域１５ｅにおいて、「胸部単純」の予測線量を加算後の腹部の各プリセットの情報の予測線量のうち腹部の許容線量又は全身の許容線量を超えた撮影シーケンスの種別を特定する。そして、表示制御部１１２は、特定された撮影シーケンスの種別を網掛け表示する。図１５に示す例では、表示制御部１１２は、「胸部単純」が選択された後に腹部が選択された場合には、撮影シーケンスの種別「腹部精細２」、「腹部造影」及び「腹部３相」を網掛け表示する。すなわち、表示制御部１１２は、「胸部単純」が選択された後に、撮影部位として腹部が選択された場合、撮影シーケンスの種別「腹部精細２」も網掛け表示する。
【００７３】
なお、図１５に示す例において、操作者が「腹部精細２」の選択を所望する場合、例えば、「胸部単純」の選択を取り消すことによって、予測線量が再計算されることで「腹部精細２」が選択可能となる。
【００７４】
上述したように、第２の実施形態によれば、複数の部位で撮影を行う場合に、予測線量が被検体の全身での許容線量又は部位ごとの許容線量を超えるか否かを判定して、許容線量を超える撮影シーケンスの種別を特定する。そして、特定した撮影シーケンスの種別を網掛け表示し、操作者による選択を受付けないようにする。このように、複数の部位で撮影を行う場合にも、許容線量を超えた撮影シーケンスが選択されることによる検査の中断を回避することで、スキャン計画を適切に支援することができる。
【００７５】
また、第２の実施形態によれば、撮影部位での許容線量を超えない場合であっても、全身での許容線量を超える撮影シーケンスの種別を特定することが可能となる。これにより、複数の撮影部位を撮影する場合に、被検体の全身での被曝量を低減することができる。
【００７６】
（第３の実施形態）
第１の実施形態及び第２の実施形態では、スキャン条件判別処理を実行後に、スキャノグラムを撮影する場合について説明した。ところで、スキャン条件判別処理は、スキャノグラムの撮影後に実行されてもよいものである。また、Ｘ線ＣＴ装置が、撮影部位によって管電流を変調させることで照射するＸ線の線量を適切に変化させる機能を有する場合、スキャノグラムの撮影後に被検体の体型に応じてより適切な予測線量を算出することも可能である。そこで、第３の実施形態では、スキャノグラムの撮影後に、スキャン条件判別処理を実施し、被検体の体型に応じたより適切な予測線量を算出して選択可能な撮影シーケンスの種別を表示する場合について説明する。
【００７７】
第３の実施形態に係るＸ線ＣＴ装置の構成は、線量情報記憶部３８において、予測線量テーブル１０２に「管電流に関する情報」が更に関連付けられる点と、制御部３９において、判定部１１１の処理動作が異なる点とを除いて、第１の実施形態に係るＸ線ＣＴ装置の構成と同様である。
【００７８】
第３の実施形態に係る予測線量テーブル１０２では、「撮影シーケンスの種別」に対して「管電流に関する情報」が更に関連付けられる。なお、ここで言う「管電流に関する情報」とは、撮影部位と、撮影部位に対応付けて変調させた管電流の値とを示す情報である。言い換えると、「管電流に関する情報」とは、被検体の撮影部位に対応付けた管電流の変化を示す情報である。なお、予測線量テーブル１０２が記憶する「予測線量」は、この「管電流に関する情報」に基づいて算出される。
【００７９】
判定部１１１は、被検体のスキャノグラムに基づいて、管電流に関する情報を補正して予測線量を算出し、算出した予測線量と許容線量との比較に基づいて、撮影シーケンスの予測線量が許容線量を超えるか否かを判定する。
【００８０】
図１６を用いて、第３の実施形態に係るＸ線ＣＴ装置による処理手順を説明する。図１６は、第３の実施形態に係るＸ線ＣＴ装置の処理手順を示すフローチャートである。なお、図２に示した第１の実施形態に係るＸ線ＣＴ装置による処理手順と同様の処理については詳細な説明を省略する。
【００８１】
図１６に示すように、制御部３９は、撮影対象である被検体の年齢、被検体の性別などの被検体の属性情報の登録を受付ける（ステップＳ４０１）。また、制御部３９は、スキャン位置の計画作成用にスキャノグラム撮影（例えば、「正面画像」「側面画像」）を実行する（ステップＳ４０２）。制御部３９は、このスキャノグラム撮影によって被検体の体型に関する情報を収集可能となる。例えば、Ｘ線ＣＴ装置は、スキャノグラム撮影では、本スキャンの管電流より低いスキャン条件でスキャンが行われる。ここで、Ｘ線ＣＴ装置は、Ｘ線管球１２ａの管球位置を固定した状態で天板２２を体軸方向に移動して被検体を撮影する。例えば、Ｘ線ＣＴ装置は、Ｘ線管球１２ａの管球位置が０°のときの正面画像としてのスキャノグラムと、Ｘ線管球１２ａの管球位置が９０°のときの側面画像としてのスキャノグラムとを生成する。そして、制御部３９は、撮影部位の設定を操作者から受付ける（ステップＳ４０３）。
【００８２】
続いて、制御部３９の判定部１１１は、スキャン条件判別処理を実行する（ステップＳ４０４）。ここでは、判定部１１１によって実行されるスキャン条件判別処理について説明する。図１７は、第３の実施形態に係るスキャン条件判別処理の処理手順を示すフローチャートである。図１７に示すように、判定部１１１は、受付けた被検体の属性情報から被検体の年齢及び性別を取得する（ステップＳ５０１）。そして、判定部１１１は、ステップＳ４０２のスキャノグラム撮影結果から被検体の体型に関する情報を取得する（ステップＳ５０２）。
【００８３】
また、判定部１１１は、取得した被検体の年齢及び性別に対応する許容線量を許容線量テーブル１０１から取得する（ステップＳ５０３）。更に、判定部１１１は、設定された部位のプリセット情報を取得する（ステップＳ５０４）。そして、判定部１１１は、各撮影シーケンスの種別に関連付けられた撮影位置ごとの管電流に関する情報を取得し（ステップＳ５０５）、ステップＳ５０２で取得した被検体の体型に関する情報を用いて、ステップＳ５０５で取得した管電流に関する情報を補正する（ステップＳ５０６）。
【００８４】
ここで、図１８を用いて、管電流に関する情報について説明する。ここでは被検体の体軸方向に管電流を変調させるＺ方向変調と、被検体の横断面内で管電流を変調させるＸＹ方向変調とを組み合わせたＸＹＺ方向変調を例に説明する。図１８は、管電流に関する情報の一例を示す図である。図１８の左図は、Ｚ方向変調を示し、被検体の体軸方向ごとにおける管電流の値を示す。また、図１８の右図は、ＸＹ方向変調を示し、被検体の体軸方向に直交する断面（Ｘ−Ｙ断面）において、Ｘ線管球１２ａの回転位置に対する管電流の値を示す。また、図１８では、補正前の管電流を破線で示し、補正後の管電流を実線で示す。図１８に示すように、判定部１１１は、取得した被検体の体型に関する情報を用いて、変調させた管電流の値を補正する。
【００８５】
図１７に戻る。判定部１１１は、ステップＳ５０６で補正した管電流に関する情報を用いて、予測線量を補正する（ステップＳ５０７）。そして、判定部１１１は、許容線量を超える撮影シーケンスの種別を特定する（ステップＳ５０８）。ステップＳ５０８の終了後、スキャン条件判別処理を終了し、ステップＳ４０５に移行する。
【００８６】
図１６に戻り、表示制御部１１２は、スキャン条件判別処理の結果、許容線量を超える撮影シーケンスの種別に網掛け表示する（ステップＳ４０５）。そして、制御部３９は、撮影部位の変更か否かを判定する（ステップＳ４０６）。ここで、制御部３９は、撮影部の変更であると判定した場合（ステップＳ４０６、Ｙｅｓ）、ステップＳ４０３に移行する。一方、制御部３９は、撮影部の変更であると判定しなかった場合（ステップＳ４０６、Ｎｏ）、ステップＳ４０７に移行する。続いて、制御部３９は、撮影シーケンスの種別の選択を受付ける（ステップＳ４０７）。ここで、制御部３９は、網掛け表示された撮影シーケンスの種別については選択を受付けない。なお、ステップＳ４０８〜ステップＳ４１４の処理手順は、図２に示すステップＳ１０８〜ステップＳ１１４の処理手順と同様である。
【００８７】
上述したように、第３の実施形態によれば、撮影位置ごとの管電流変更にも対応した、より正確な線量を算出し、許容線量を超える撮影シーケンスの種別を特定することができる。なお、第３の実施形態では、ＸＹＺ方向変調で管電流を変調させる場合について説明したが、Ｚ方向変調単独やＸＹ方向変調単独で管電流を変調させる場合にも適用可能である。
【００８８】
（その他の実施形態）
上述した実施形態では、表示制御部１１２は、許容線量を超えた撮影シーケンスの種別を網掛け表示するものとして説明したが、これに限定されるものではない。例えば、予測線量が許容線量を超えた撮影シーケンスの種別について色を変えて表示するようにしてもよい。図１９は、その他の実施形態を説明するための図である。図１９では、撮影部位が胸部であり、撮影シーケンスの種別のうち「胸部造影」及び「胸部３相」が許容線量を超えた場合を示す。図１９に示すように、表示制御部１１２は、撮影シーケンスの種別のうち、許容線量を超えた「胸部造影」及び「胸部３相」について色を変えて表示装置３２に表示させる。
【００８９】
また、表示制御部１１２は、許容線量以内である撮影シーケンスの種別について色を変えて表示するようにしてもよい。図２０は、その他の実施形態を説明するための図である。図２０では、撮影部位が胸部であり、撮影シーケンスの種別のうち「胸部造影」及び「胸部３相」が許容線量を超えた場合を示す。図２０に示すように、表示制御部１１２は、撮影シーケンスの種別のうち、許容線量を超えていない「胸部単純」、「胸部精細」及び「胸部精細２」について色を変えて表示装置３２に表示させる。
【００９０】
また、上述した実施形態では、一つの撮影部位につき一つの撮影シーケンスを選択する場合について説明したが、これに限定されるものではない。例えば、同一の撮影部位において複数の撮影シーケンスの選択を受付けるようにしてもよい。以下では、図２１及び図２２を用いて、同一の撮影部位において複数の撮影シーケンスの選択を受付ける場合について説明する。
【００９１】
図２１は、その他の実施形態を説明するための図である。図２１では、判定部１１１が、複数の撮影シーケンスが選択される場合に、選択された撮影シーケンスの種別の予測線量の合計値と許容線量とに基づいて、未選択の撮影シーケンスの予測線量が許容線量を超えるか否かを判定し、表示制御部１１２が、判定部１１１によって許容線量を超えると判定された撮影シーケンスと許容線量を超えないと判定された撮影シーケンスとを区別して表示装置３２に表示させる場合について説明する。図２１の左図では、撮影部位として胸部が選択された場合の撮影部位受付画面の一例を示す。図２１の左図では、胸部３相が許容線量を超えており、網掛け表示される。ここで、撮影シーケンスとして「胸部単純」が選択された場合を図２１の右側上図に示す。この場合、判定部１１１は、「胸部単純」の予測線量を、未選択の撮影シーケンスの種別「胸部精細」、「胸部精細２」及び「胸部造影」の予測線量に加算する。そして、判定部１１１は、加算後の予測線量のうち、許容線量を超えた撮影シーケンスの種別を特定する。図２１の右側上図では、「胸部精細２」及び「胸部造影」が許容線量を超えており網掛け表示される場合を例示する。この場合、操作者は、「胸部精細」について更に選択可能である。
【００９２】
また、撮影シーケンスとして「胸部精細２」が選択された場合を図２１の右側下図に示す。この場合、判定部１１１は、「胸部精細２」の予測線量を、未選択の撮影シーケンスの種別「胸部単純」、「胸部精細」及び「胸部造影」の予測線量に加算する。そして、判定部１１１は、加算後の予測線量のうち、許容線量を超えた撮影シーケンスの種別を特定する。図２１の右側下図では、「胸部単純」、「胸部精細」及び「胸部造影」が許容線量を超えており網掛け表示される場合を例示する。この場合、操作者は、いかなる撮影シーケンスの種別も選択できない。
【００９３】
図２２は、その他の実施形態を説明するための図である。図２２では、判定部１１１が、複数の撮影シーケンスが選択される場合に、撮影シーケンスが選択されるごとに、選択された撮影シーケンスの予測線量を積算し、予測線量の積算値が許容線量を超えたか否かを判定し、表示制御部１１２が、判定部１１１によって積算された予測線量の積算値が許容線量を超えたと判定された場合に、積算値が許容線量を超えた旨を表示装置３２に表示させる場合について説明する。図２２の左図は、図２１の左図と同様に、撮影部位として胸部が選択された場合の撮影部位受付画面の一例を示す。図２２の中図は、この後に撮影シーケンスの種別「胸部単純」が選択された場合を示す。なおこの場合、「胸部単純」の予測線量は、許容線量を超えない。そして、この図２２の中図の状態から更に追加で撮影シーケンスの種別が選択される場合を説明する。図２２の右側上図では、「胸部単純」に次いで「胸部精細」が選択された場合を例示する。この場合、判定部１１１は、「胸部単純」の予測線量に「胸部精細」の予測線量を積算する。そして、積算後の予測線量が許容線量を超えたか否かを判定する。ここで、判定部１１１は、加算後の予測線量が許容線量を超えていないと判定した場合、表示画面を変更しない。そして、判定部１１１は、更に撮影シーケンスの種別の選択を受付けるか、スキャノグラム撮影を行う操作を操作者から受付ける。
【００９４】
また、図２２の右側下図では、「胸部単純」に次いで「胸部精細２」が選択された場合を例示する。この場合、判定部１１１は、「胸部単純」の予測線量に「胸部精細２」の予測線量を積算する。そして、積算後の予測線量が許容線量を超えたか否かを判定する。ここで、判定部１１１が、加算後の予測線量が許容線量を超えていると判定した場合、表示制御部１１２は、「胸部単純」及び「胸部精細２」について色を変えて表示装置３２に表示させる。なお、判定部１１１は、撮影シーケンスの種別の選択を解除する操作を受付けた場合、解除された撮影シーケンスの種別の予測線量を積算値から減算して許容線量を超えたか否かを判定する。
【００９５】
また、制御部３９は、警告表示の処理を実行しなくてもよい。例えば、制御部３９は、図２に示すステップＳ１０８において、スキャン計画の設定を変更する操作を受付けなかった場合や線量を低減させるようにスキャン条件が変更された場合には、ステップＳ１０９〜ステップＳ１１３の処理を実行しなくてもよい。
【００９６】
また、表示制御部１１２は、許容線量を超えた撮影シーケンスの種別を表示せずに、許容線量を超えていない撮影シーケンスの種別のみを表示するようにしてもよい。
【００９７】
また、判定部１１１は、複数の撮影シーケンスが選択される場合に、予測線量について積算処理を行うものとして説明したが、計算方法は任意でありこれに限定されるものではない。例えば、判定部１１１は、複数の撮影シーケンスが選択される場合に、選択された撮影シーケンスの予測線量を許容線量から減算するようにしてもよい。かかる場合、判定部１１１は、減算後の許容線量と、予測線量とを比較し、許容線量を超えた撮影シーケンスを特定する。
【００９８】
また、許容線量は、被検体の年齢及び性別、或いは、被検体の体型で細分化され且つ年齢及び性別に対応付けて記憶されるものとして説明したが、実施形態はこれに限定されるものではない。例えば、許容線量は、被検体の年齢、被検体の性別、或いは被検体の体型に対応付けて記憶されてもよい。かかる場合、判定部１１１は、許容線量に対応付けられた被検体の属性情報を用いて許容線量を取得する。
【００９９】
また、判定部１１１は、撮影シーケンスの予測線量が許容線量を超えるか否かを判定し、予測線量が許容線量を超える撮影シーケンスを特定するものとして説明したが、実施形態はこれに限定されるものではない。例えば、判定部１１１は、予測線量が許容線量を超えない撮影シーケンスを特定してもよい。
【０１００】
以上説明した少なくともひとつの実施形態によれば、スキャン計画を適切に支援することができる。
【０１０１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０２】
３８    線量情報記憶部
３９    制御部
１０１  許容線量テーブル
１０２  予測線量テーブル
１１１  判定部
１１２  表示制御部
【図１】
0006490912.tif 000002
【図２】
0006490912.tif 000003
【図３】
0006490912.tif 000004
【図４】
0006490912.tif 000005
【図５】
0006490912.tif 000006
【図６】
0006490912.tif 000007
【図７Ａ】
0006490912.tif 000008
【図７Ｂ】
0006490912.tif 000009
【図８】
0006490912.tif 000010
【図９】
0006490912.tif 000011
【図１０】
0006490912.tif 000012
【図１１】
0006490912.tif 000013
【図１２】
0006490912.tif 000014
【図１３】
0006490912.tif 000015
【図１４】
0006490912.tif 000016
【図１５】
0006490912.tif 000017
【図１６】
0006490912.tif 000018
【図１７】
0006490912.tif 000019
【図１８】
0006490912.tif 000020
【図１９】
0006490912.tif 000021
【図２０】
0006490912.tif 000022
【図２１】
0006490912.tif 000023
【図２２】
0006490912.tif 000024